(57)【要約】【課題】  既存のドライブやレコーダと互換性のある情報保存媒体、記録／再生装置、記録／再生方法、及びその方法を行うプログラムが記録されたコンピュータ可読記録媒体を提供する。【解決手段】  情報保存媒体上の各領域が記録可能及び／又は再生可能であるか指定する互換性情報が記録される互換性情報領域を有する情報保存媒体に対しデータを記録及び／又は再生する方法であって、前記情報保存媒体上の各領域が記録可能及び／又は再生可能か指定する前記互換性情報を読み出すステップと、前記互換性情報を参照して前記情報保存媒体に対しデータを記録及び／又は再生するステップとを有し、前記情報保存媒体に対する他の記録防止手段が存在する場合、前記情報保存媒体の記録防止は、前記他の記録防止手段及び前記互換性情報に対してＯＲ演算を実行した結果に基づき決定される方法が提供される。【選択図】      図４
2007242233.tif 000002
【特許請求の範囲】
【請求項１】
情報保存媒体上の各領域が記録可能及び／又は再生可能であるか指定する互換性情報が記録される互換性情報領域を有する情報保存媒体に対しデータを記録及び／又は再生する方法であって、
前記情報保存媒体上の各領域が記録可能及び／又は再生可能か指定する前記互換性情報を読み出すステップと、
前記互換性情報を参照して前記情報保存媒体に対しデータを記録及び／又は再生するステップと、
を有し、
前記情報保存媒体に対する他の記録防止手段が存在する場合、前記情報保存媒体の記録防止は、前記他の記録防止手段及び前記互換性情報に対してＯＲ演算を実行した結果に基づき決定される方法。
【請求項２】
前記互換性情報は、前記互換性情報領域が記録可能及び／又は再生可能であるかに関する状態情報と、欠陥管理領域（ＤＭＡ）が記録可能及び／又は再生可能であるかに関する状態情報との少なくとも１つを有する、請求項１記載の方法。
【請求項３】
前記情報保存媒体に対するデータの記録及び／又は再生は、前記互換性情報が前記情報保存媒体が記録可能及び／又は再生可能でないと示す場合、前記情報保存媒体が記録可能及び／又は再生可能でないと示すエラーメッセージをホストに送信するステップを有する、請求項１記載の方法。
【請求項４】
前記情報保存媒体に対するデータの記録及び／又は再生は、前記情報保存媒体にデータを記録する際に記録防止フラグが前記情報保存媒体に設定されている場合、前記データが前記情報保存媒体に記録されることを禁止するため、前記互換性情報に対して前記記録防止フラグを優先させるステップを有する、請求項１記載の方法。
【請求項５】
情報保存媒体に対しデータを記録及び／又は再生する方法を可能にするプログラムが記録されるコンピュータ可読記録媒体であって、
前記方法は、
前記情報保存媒体上の各領域が記録可能及び／又は再生可能か指定する前記互換性情報を読み出すステップと、
前記互換性情報を参照して前記情報保存媒体に対しデータを記録及び／又は再生するステップと、
を有し、
前記情報保存媒体に対する他の記録防止手段が存在する場合、前記情報保存媒体の記録防止は、前記他の記録防止手段及び前記互換性情報に対してＯＲ演算を実行した結果に基づき決定されるコンピュータ可読記録媒体。
【請求項６】
情報保存媒体上の各領域が記録可能及び／又は再生可能であるか指定する互換性情報が記録される互換性情報領域を有する情報保存媒体に対しデータを記録及び／又は再生する方法であって、
前記情報保存媒体上の各領域が記録可能及び／又は再生可能か指定する前記互換性情報を読み出すステップと、
前記情報保存媒体に対しデータを記録及び／又は再生するステップと、
を有し、
前記情報保存媒体の記録防止は、前記情報保存媒体が含まれるカートリッジの記録防止ホール情報と、記録防止フラグと、前記互換性情報とに対してＯＲ演算を実行した結果に基づき決定される方法。
【請求項７】
前記情報保存媒体に対するデータの記録及び／又は再生は、前記記録防止ホール情報と、前記記録防止フラグと、前記互換性情報との少なくとも１つが、前記情報保存媒体を記録防止する場合、前記データが前記情報保存媒体に記録されることが禁止されると判断するステップを有する、請求項６記載の方法。
【発明の詳細な説明】
【技術分野】
【０００１】
本発明は、情報保存媒体に係り、さらに具体的には、今後新たな機能または機能の向上が追加された新たな規格に準じる情報保存媒体のうちでも、既存のドライブやレコーダと互換性のある情報保存媒体、記録／再生方法、記録／再生装置及びその方法を行うプログラムが記録されたコンピュータ可読記録媒体に関する。
【背景技術】
【０００２】
一般的に、光情報保存媒体、例えば、光ディスクは、非接触式で情報を記録／再生する光ピックアップ装置の情報保存媒体として広く採用され、情報記録容量によってコンパクトディスク（ＣＤ）、デジタル多機能ディスク（ＤＶＤ）に区分される。そして、情報の記録、消去及び再生が可能な光ディスクとして、６５０ＭＢ  ＣＤ−Ｒ、ＣＤ−ＲＷ、４．７ＧＢ  ＤＶＤ＋Ｒ／ＲＷ、ＤＶＤ−ＲＡＭ、ＤＶＤ−Ｒ／ＲＷなどがあり、再生専用ディスクとして、６５０ＭＢ  ＣＤ、４．７ＧＢ  ＤＶＤ−ＲＯＭなどがある。さらに、記録容量が１５ＧＢ以上のＨＤ  ＤＶＤまたはＢＤ（ブルーレイディスク）も開発完了されており、記録容量がそれ以上であるディスク、例えば、超解像再生技術を使用するスーパーレンズディスクまたはニアフィールドを利用したディスク、及びホログラム原理を利用したディスクも開発中である。
【０００３】
現在進行中のレコーダブルＤＶＤの規格制定において、最も重要視されていることのうち一つが、既存ユーザーが持っているドライブやレコーダでも、何の問題もなく記録／再生特性を持つことができる、互換性の完壁な規格を作ることである。特に、記録倍速が上がりつつ、下位倍速でも記録特性を満足させうるメディア技術を向上させて、互換性を維持させている。しかし、単純にあるディスクがどの倍速からどの倍速まで記録可能であるとしても、ディスクの種類がＤＶＤ−ＲＡＭ、ＤＶＤ−ＲＷ、ＤＶＤ−Ｒなど非常に多様なために、それぞれ記録または再生が可能であるかに関する情報を記録せねばならない。
【０００４】
図１は、従来技術によって情報保存媒体の記録／再生の互換性情報が要求される概念を説明するための参考図である。図１を参照するに、それぞれ３つのタイプのディスク及びドライブが示されている。ドライブＡに使われる１倍速のディスクＡをバージョン１とし、バージョン１のディスクＡに所定の機能を追加して開発されたディスクＢを、バージョン２とする。バージョン２のディスクＢは、１倍速〜２倍速を持ち、ドライブＢに使われる。そして、バージョン２のディスクＢに所定の機能をさらに追加して開発されたディスクＣを、バージョン３とする。バージョン３のディスクＣは、１倍速〜４倍速を持ち、ドライブＣに使われる。ドライブＡを持っているユーザーであるとしても、ドライブＡに使われるディスクＡより高いバージョンを持つディスクＢやディスクＣを使用する場合がありうる。この時、もちろん、ディスクＢやディスクＣがいずれも１倍速を支援するため、ドライブＡで物理的に使われうるが、ディスクＢやディスクＣに設けられた領域に関する記録／再生如何情報が分からなければ、実際データの記録／再生が困難である場合が多い。
【０００５】
図２は、従来技術によるディスクの構造図である。図２を参照するに、ディスクの最内周にはリードイン領域が設けられ、最外周にはリードアウト領域が設けられ、リードイン領域とリードアウト領域との間にユーザーデータが記録されるユーザーデータ領域が設けられる。
【０００６】
リードイン領域は、ディスクの製造時に既に所定の情報が記録されていて再生のみできる領域と、情報の記録及び修正が可能な記録可能領域とからなる。
【０００７】
あらかじめ記録された領域は、制御データが記録される制御データ領域であり、ディスク種類及びバージョン情報、ディスクサイズ、ディスク構造、ディスク速度、記録パラメータに関する情報を含む。
【０００８】
記録可能領域は、バッファと、欠陥管理領域（Ｄｅｆｅｃｔ  Ｍａｎａｇｅｍｅｎｔ  Ａｒｅａ：ＤＭＡ）と、テスト領域と、ドライブ／ディスク状態情報領域とを含む。
【０００９】
バッファは、あらかじめ記録された領域と記録可能領域との間のバッファリングの役割を行う。
【００１０】
ＤＭＡは、ユーザーデータ領域で発生した欠陥データに替える代替データのアドレスなど、欠陥に関する情報を記録するための領域である。ＤＭＡは、欠陥に関する情報以外にも、ディスク定義構造（Ｄｉｓｃ  Ｄｅｆｉｎｉｔｉｏｎ  Ｓｔｒｕｃｔｕｒｅ：ＤＤＳ）を含む。
【００１１】
ＤＤＳの具体的な内容が図３に示されている。図３を参照するに、ＤＤＳは、ディスク製造者の認証に関するディスク製造認証情報と、ユーザー認証に関連したユーザー認証情報と、ディスク全体の記録を禁止させる記録防止情報（ＷＲＩＴＥ  ＰＲＯＴＥＣＴＩＯＮ  ＦＬＡＧ）とを含む。
【００１２】
テスト領域は、ユーザーデータ領域にデータを記録する時、最適の記録パワーを得るために検査を行えるように設けられた領域である。
【００１３】
ドライブ／ディスク状態情報領域は、ドライブまたはディスクの状態と関連した情報を記録するための領域である。
【００１４】
一方、本出願人により出願されて公開された特許文献１は、ディスク全体についての記録如何を表す記録防止情報を記録できる方法を提示している。しかし、前記特許文献１では、リードイン／リードアウト領域を含むディスクの全体領域を記録防止する技術を開示しているが、リードイン／リードアウト領域のドライブテスト及び欠陥関連情報が記録されているＤＭＡについては例外としている。しかし、ＤＭＡは、ユーザーデータ領域で発生した欠陥データに替える代替データが記録されているアドレス情報が記録されている非常に重要な領域であるために、この領域の記録／再生如何をユーザーデータ領域とは区分して表示する必要がある。また、ディスク全体だけでなく、ディスクの細部的な領域についての記録／再生如何を表示すれば、さらに多様な記録／再生情報を与えられる。
【００１５】
また、既存のドライブやレコーダで、新たな規格の未知のバージョンのディスクが装着される場合、記録または再生をどのようにするか分からない場合が発生するため、ユーザーの立場では、不便さを感じてしまう。
【特許文献１】大韓民国公開特許（公開番号：特２０００−５５８８）
【発明の開示】
【発明が解決しようとする課題】
【００１６】
本発明は、前記のような問題点を解決して、今後制定される規格に準じる保存媒体についても、既存に制定された規格に準じるドライブやレコーダでも問題なく記録／再生を行えるように、互換性のある情報保存媒体、記録／再生装置、記録／再生方法、及びその方法を行うプログラムが記録されたコンピュータ可読記録媒体を提供することを目的とする。
【課題を解決するための手段】
【００１７】
前記のような課題を解決するための本発明の一つの特徴は、リードイン領域、ユーザーデータ領域及びリードアウト領域を具備した情報保存媒体において、前記情報保存媒体の細部領域それぞれについて、記録／再生如何を表す互換性情報が記録される互換性情報領域が、前記リードイン領域及びリードアウト領域のうち少なくとも一つの領域に設けられることである。
【００１８】
前記互換性情報は、前記ユーザーデータ領域の記録／再生如何に関する情報、前記リードイン領域／リードアウト領域の記録／再生如何に関する情報、前記互換性情報領域の記録／再生如何に関する情報、前記ユーザーデータ領域に発生した欠陥に関する情報を記録する欠陥管理領域の記録／再生如何に関する情報のうち、少なくとも一つ以上を含むことが望ましい。
【００１９】
また、前記互換性情報は、前記情報保存媒体に設けられた各細部領域について、再生如何、記録如何、アクセス如何に関する情報のうち少なくとも一つ以上を含むことが望ましい。
【００２０】
また、データの記録時、前記情報保存媒体に記録防止情報が設定されている場合には、前記記録防止情報が前記互換性情報に優先して、前記情報保存媒体への記録が禁止されることが望ましい。
【００２１】
本発明の他の特徴は、リードイン領域、ユーザーデータ領域及びリードアウト領域を具備した情報保存媒体へ／からデータを記録／再生する方法において、前記情報保存媒体の前記リードイン領域及びリードアウト領域のうち、少なくとも一つの領域から、前記情報保存媒体の細部領域それぞれについて記録／再生如何を表す互換性情報を読み出す段階と、前記互換性情報を参照して、前記情報保存媒体へ／からデータを記録／再生する段階とを含むことである。
【００２２】
前記記録／再生段階は、前記互換性情報の参照結果、前記情報保存媒体へ／からのデータの記録／再生が不可能である場合、ホストコンピュータにエラー報告を伝送する段階をさらに含むことが望ましい。
【００２３】
前記記録／再生段階は、データの記録時、前記情報保存媒体に記録防止情報が設定されている場合には、前記記録防止情報を前記互換性情報に優先させて、前記情報保存媒体への記録を禁止する段階を含むことが望ましい。
【００２４】
本発明のさらに他の特徴は、リードイン領域、ユーザーデータ領域及びリードアウト領域を具備した情報保存媒体へ／からデータを記録／再生する装置において、前記情報保存媒体の前記リードイン領域及びリードアウト領域のうち、少なくとも一つの領域に、前記情報保存媒体の細部領域それぞれについて記録／再生如何を表す互換性情報を記録するか、前記リードイン領域及びリードアウト領域のうち少なくとも一つの領域から前記互換性情報を読み出す書き込み／読み出し部と、前記互換性情報を参照して、前記情報保存媒体へ／からデータを記録／再生するように、前記書き込み／読み出し部を制御する制御部とを含むことである。
【００２５】
前記制御部は、前記互換性情報の参照結果、前記情報保存媒体へ／からのデータの記録／再生が不可能である場合、ホストコンピュータにエラー報告をさらに伝送することが望ましい。
【００２６】
前記制御部は、データの記録時、前記情報保存媒体に記録防止情報が設定されている場合には、前記記録防止情報を前記互換性情報に優先させて、前記情報保存媒体への記録を禁止させるように制御することが望ましい。
【００２７】
本発明のさらに他の特徴は、リードイン領域、ユーザーデータ領域及びリードアウト領域を具備した情報保存媒体へ／からデータを記録／再生する方法を行うプログラムが記録された、コンピュータ可読記録媒体において、前記記録／再生方法は、リードイン領域、ユーザーデータ領域及びリードアウト領域を具備した前記情報保存媒体の前記リードイン領域及びリードアウト領域のうち少なくとも一つの領域から、前記情報保存媒体の細部領域それぞれについて記録／再生如何を表す互換性情報を読み出す段階と、前記互換性情報を参照して、前記情報保存媒体へ／からデータを記録／再生する段階とを含むことが望ましい。
【００２８】
本発明のさらに他の特徴は、リードイン領域、ユーザーデータ領域及びリードアウト領域を具備した情報保存媒体において、前記情報保存媒体の細部領域それぞれについて、記録／再生如何を表す互換性情報が記録される互換性情報領域が、前記リードイン領域及びリードアウト領域のうち少なくとも一つの領域に設けられ、前記媒体へのデータの記録時、前記媒体が入っているカートリッジの記録防止ホール情報、前記リードイン領域またはリードアウト領域の欠陥管理領域に入っている記録防止フラッグ情報、及び前記互換性情報を参照して、前記情報保存媒体への記録如何が決定されることである。
【００２９】
前記記録防止ホール情報、または前記記録防止フラッグ情報、または前記互換性情報のうちいずれか一つでも記録防止と設定されている場合には、記録禁止と決定されることが望ましい。
【００３０】
本発明のさらに他の特徴は、リードイン領域、ユーザーデータ領域及びリードアウト領域を具備した情報保存媒体へ／からデータを記録／再生する方法において、リードイン領域、ユーザーデータ領域及びリードアウト領域を具備した前記情報保存媒体の前記リードイン領域、またはリードアウト領域のうち少なくとも一つの領域から、前記情報保存媒体の細部領域それぞれについて記録／再生如何を表す互換性情報を読み出す段階と、前記媒体が入っているカートリッジの記録防止ホール情報、前記リードイン領域またはリードアウト領域の欠陥管理領域に入っている記録防止フラッグ情報、及び前記互換性情報を参照して、前記情報保存媒体への記録許容如何を決定し、その決定によって前記媒体にデータを記録する段階とを含むことである。
【００３１】
本発明のさらに他の特徴は、リードイン領域、ユーザーデータ領域及びリードアウト領域を具備した情報保存媒体へ／からデータを記録／再生する装置において、前記情報保存媒体の前記リードイン領域及びリードアウト領域のうち、少なくとも一つの領域に、前記情報保存媒体の細部領域それぞれについて記録／再生如何を表す互換性情報を記録するか、前記領域から前記互換性情報を読み出す書き込み／読み出し部と、前記媒体が入っているカートリッジの記録防止ホール情報、前記リードイン領域またはリードアウト領域の欠陥管理領域に入っている記録防止フラッグ情報及び前記互換性情報を参照して、前記情報保存媒体にデータを記録するように前記書き込み／読み出し部を制御する制御部とを含むことである。
【発明の効果】
【００３２】
本発明による情報保存媒体は、今後制定される規格に準じる情報保存媒体のうちでも、既存に制定された規格に準じるドライブやレコーダでディスクの全領域を記録または再生するのに全く問題のない、完全な互換性を持つ情報保存媒体を提供できる。すなわち、これにより、新たなバージョンを持つ規格の情報保存媒体が、以前バージョンに対応するドライブにローディングされるとしても、互換性情報を読み取って記録／再生を円滑に行える。
【発明を実施するための最良の形態】
【００３３】
以下、添付された図面を参照して本発明を詳細に説明する。
【００３４】
図４は、本発明によるディスクの構造図である。図４を参照するに、本発明によるディスク１００は、リードイン領域１１０と、ユーザーデータ領域１２０と、リードアウト領域１３０とを含む。
【００３５】
リードイン領域１１０は、あらかじめ記録された領域１１１と、記録可能領域１１２とを含む。あらかじめ記録された領域１１１は、制御データ領域として使われる。
【００３６】
記録可能領域１１２は、互換性情報領域１１３と、ＤＭＡ  １１５と、テスト領域１１７と、ドライブ／ディスク状態情報領域１１８とを含む。ＤＭＡ  １１５は、記録防止情報１１６が記録されるＤＤＳを含む。ＤＭＡ  １１５、テスト領域１１７、ドライブ／ディスク状態情報領域１１８は、図２を参照して説明した通りである。本発明によるディスクは特に、記録／再生情報の互換性のために互換性情報領域１１３を具備する。
【００３７】
互換性情報領域１１３は、互換性情報バイト５００を含む。後述するが、互換性情報は、一つの互換性情報バイトを利用して示すこともでき、複数の互換性情報バイトを利用して示すこともできる。一つの互換性情報バイトを利用する第１例が、図５に示されており、複数の互換性情報バイトを利用する第２例が、図６に示されている。
【００３８】
図５は、図４に示された互換性情報バイトの第１例を表す。図５を参照するに、一つの互換性情報バイト５００で互換性情報を表示した例が示されている。互換性情報バイト５００は、ビット０位置にユーザーデータ領域の記録／再生可能情報５１０と、ビット１位置に互換性情報領域の記録／再生可能情報５２０と、ビット２位置にリードイン／リードアウト領域の記録／再生可能情報５３０と、ビット３位置に欠陥管理の記録／再生可能情報５４０とを含む。ビット４の位置からビット７の位置までは、後ほど生じうる他の領域についての記録／再生可能情報のための予約領域として使われる。
【００３９】
ユーザーデータ領域の記録／再生可能情報５１０は、図４に示されたユーザーデータ領域１２０の記録／再生可能情報、すなわち、記録が可能であるか、再生のみ可能であるかに関する情報を表す。
【００４０】
互換性情報領域の記録／再生可能情報５２０は、図４に示された互換性情報領域１１３の記録／再生可能情報、すなわち、記録が可能であるか、再生のみ可能であるかに関する情報を表す。
【００４１】
リードイン／リードアウト領域の記録／再生可能情報５３０は、図４に示されたリードイン領域１１０とリードアウト領域１３０との記録／再生可能情報、すなわち、記録が可能であるか、再生のみ可能であるかに関する情報を表す。互換性情報領域及びＤＭＡの記録／再生可能情報が別途に存在するので、ここで、リードイン／リードアウト領域は、このような互換性情報領域とＤＭＡとを除外したリードイン／リードアウト領域となる。
【００４２】
ＤＭＡ記録／再生可能情報５４０は、図４に示されたＤＭＡ  １１５の記録／再生可能情報、すなわち、記録が可能であるか、再生のみ可能であるかに関する情報を示す。
【００４３】
このような互換性情報バイトで、細部領域についての記録／再生情報を整理すると、次の表の通りである。
【００４４】
【表１】
2007242233.tif 000003
すなわち、各細部領域で、ビット値を“０”と表示したのは、再生のみ可能な状態を表し、各細部領域でビット値を“１”と表示したのは、記録可能な状態を表す。
【００４５】
上の表で、４つの領域の記録／再生情報についてのみ表し、残りの４ビットは追加的な機能のために予約しておいた。
【００４６】
このような互換性情報は、ディスクのリードイン領域及びリードアウト領域のうち少なくとも一つの領域に記録でき、また、情報の信頼性のために同じ情報をリードイン領域及びリードアウト領域に重複的に記録することもできる。
【００４７】
また、前記表示された細部領域は一例に過ぎず、今後新たな機能に関する領域が必要であり、これについての記録／再生情報が必要な場合には、ドライブのハードウェア修正なしにファームウェアの修正だけでも、そうした新たな領域に関する記録／再生情報を備えることができるために、最大限の互換性を維持できる。
【００４８】
また、情報保存媒体の層が多層で構成された場合には、各層に該当するリードイン領域またはリードアウト領域に、あらゆる層の細部領域についての記録／再生情報を記録しておけば、ピックアップがいかなる層をアクセスしても、あらゆる層の情報を一度に得られるために効果的である。
【００４９】
また、本発明による互換性情報は、既存ドライブで上位バージョンのディスクを認識できなくても、基本的な記録／再生機能に関する情報を与えられる情報であるため、記録／再生に関連した他の情報よりも優先的に考慮する必要がある。もちろん、基本的に倍速についての互換性のないディスクである場合には、記録は当然に許容してはならない。
【００５０】
図６は、図４に示された互換性情報バイトの第２例を示す。互換性情報バイトの第２例では、各細部領域についての記録／再生可能情報が一つのバイトからなっている。したがって、全体領域についての互換性情報は複数のバイトからなる。図６を参照するに、互換性情報バイト６００は、１バイトのユーザーデータ領域の記録／再生可能情報６１０と、１バイトの互換性情報領域の記録／再生可能情報６２０と、１バイトのリードイン／リードアウト領域の記録／再生可能情報６３０と、１バイトのＤＭＡ記録／再生可能情報６４０とを含む。各細部領域についての一つのバイトで記録／再生可能情報を表示すれば、記録可能、再生可能の状態以外にさらに多くの状態を容易に表示できる。
【００５１】
図７Ａないし図７Ｃは、図６に示された“ＤＭＡ記録／再生可能情報”で表しうる情報の例を示す。図７Ａないし図７Ｃを参照するに、１バイトのＤＭＡ記録／再生可能情報６４０で、再生可能、記録可能、アクセス不可の３つの状態を表すことができる。図７Ａは、ＤＭＡ記録／再生可能情報６４０バイトのビット０の位置に１を記録することによって、ＤＭＡが再生可能だという状態を表示する。
【００５２】
図７Ｂは、ＤＭＡ記録／再生可能情報６４０のビット１の位置に１を記録することによって、ＤＭＡが記録可能であるという状態を表示する。
【００５３】
図７Ｃは、ＤＭＡ記録／再生可能情報６４０のビット２の位置に１を記録することによって、ＤＭＡのアクセスが不可能であるという状態を表示する。
【００５４】
図７Ａないし図７Ｃでは、ＤＭＡ記録／再生可能情報を表示したが、これは、他の領域の記録／再生可能情報にも適用できる。また、図７Ａないし図７Ｃを参照して、３つの状態情報、すなわち、“再生可能”、“記録可能”、“アクセス不可”のみを表示したが、以後に表示される他の状態情報も含まれうる。
【００５５】
図８は、本発明の第１実施例によってＤＤＳの記録防止情報と互換性情報領域の記録／再生可能情報との優先順位を説明するための参考図である。
【００５６】
本発明によって、ディスクのＤＭＡのＤＤＳに記録防止情報が設定されている場合には、その記録防止情報の設定内容が、互換性情報領域の記録／再生可能情報に優先する。すなわち、互換性情報には、所定領域が記録可能と設定されているとしても、記録防止情報が設定されている場合にはその所定領域への記録を禁止せねばならない。これは、例えば、ユーザーが間違って、記録防止情報と互換性情報との内容が互いに合わないように設定した場合には、記録を禁止してディスク領域を安全に使用するためである。
【００５７】
図８を参照するに、ＤＤＳの記録防止情報が“０”と設定されているということは、記録防止フラッグがセットされずにディスクに記録可能となっている状態をいい、互換性情報領域の記録／再生可能情報が“０”と設定されているということは、所定領域に記録可能となっている状態をいう。もちろん、ここで、“１”と“０”とは、装置によって変えて使用できる。
【００５８】
また、図８を参照するに、ＤＤＳの記録防止情報が“０”と設定されており、互換性情報領域の記録／再生可能情報が“０”と設定されている場合のみドライブの記録動作が可能となっており、他の場合にはいずれも記録が不可能である。言い換えれば、ＤＤＳの記録防止情報が“０”と設定されており、互換性情報領域の記録／再生可能情報も記録可能と設定されている場合のみ、その記録可能と設定された特定領域に記録でき、ＤＤＳの記録防止情報が“１”と設定されているか、互換性情報領域の記録／再生可能情報が記録不可と設定されている場合には、その記録不可と設定された特定領域への記録が禁止される。
【００５９】
図９は、本発明による記録／再生装置の構成の概略的なブロック図である。図９を参照するに、前記記録／再生装置は、書き込み／読み出し部２と、制御部１とを含む。
【００６０】
書き込み／読み出し部２は、ピックアップなどを具備して、本発明による光記録情報保存媒体であるディスク１００にデータを記録し、記録されたデータを読み出す。
【００６１】
制御部１は、所定のファイルシステムによって、ディスク１００にデータを記録して読み出すように制御する。特に、本発明による制御部１は、ディスク間の互換性を増大させるために、本発明によって、互換性情報をディスク１００のリードイン領域またはリードアウト領域に記録するように制御する。これについては、以下で詳細に後述する。
【００６２】
制御部１は、システム制御器１０と、ホストＩ／Ｆ  ２０と、ＤＳＰ  ３０と、ＲＦ  ＡＭＰ  ４０と、サーボ５０と、メモリ６０とを具備する。
【００６３】
書き込み／読み出し部２にディスク１００がローディングされれば、制御部１のシステム制御器１０はまず、ディスク１００のリードイン領域またはリードアウト領域に設けられた互換性情報領域を読み取るように制御する。そして、その互換性情報領域から互換性情報を持ってきてメモリ６０に保存しておく。また、ＤＭＡのＤＤＳから記録防止情報を読み取って保存しておく。
【００６４】
記録時、ホストＩ／Ｆ  ２０は、ホストから所定の記録命令を受信し、それをシステム制御器１０に伝送する。システム制御器１０は、本発明の第１実施例によって、メモリ６０に保存した互換性情報及びＤＤＳの記録防止情報を参照して、記録しようとする領域へのデータ記録が可能であるかどうかを判断するか、または、本発明の第２実施例によって、互換性情報、ＤＤＳの記録防止情報及びカートリッジの記録防止ホール情報を参照して、記録しようとする領域へのデータ記録が可能であるかどうかを判断する。
【００６５】
判断の結果、それら情報のうちいずれか一つでも記録防止と設定されていれば、システム制御器１０は、ホストＩ／Ｆ  ２０を通じてホストに、記録命令を行えないということを知らせるエラー報告を伝送する。そして、それら情報がいずれも記録可能と設定された場合に、システム制御器１０は、このようなホストＩ／Ｆ  ２０から受信された記録命令を行うために、ＤＳＰ  ３０とサーボ５０とを制御する。ＤＳＰ  ３０は、ホストＩ／Ｆ  ２０から受けた記録するデータのエラー訂正のために、パリティなどの付加データを添加してＥＣＣエンコーディングを行い、エラー訂正ブロックのＥＣＣブロックを生成した後、それを既定の方式で変調する。ＲＦ  ＡＭＰ  ４０は、ＤＳＰ  ３０から出力されたデータをＲＦ信号に変える。ピックアップを具備した書き込み／読み出し部２は、ＲＦ  ＡＭＰ  ４０から伝送されたＲＦ信号をディスク１００に記録する。サーボ５０は、システム制御器１０からサーボ制御に必要な命令を入力されて、書き込み／読み出し部２のピックアップをサーボ制御する。
【００６６】
再生時、ホストＩ／Ｆ  ２０はホストから再生命令を受ける。システム制御器１０は、再生に必要な初期化を行う。再生時にも同じく、システム制御器１０は、メモリ６０に保存した互換性情報を参照して、再生しようとする領域での再生が可能な場合には、ディスクからデータを読み出すように書き込み／読み出し部２を制御する。書き込み／読み出し部２は、ディスク１００にレーザービームを照射し、ディスク１００から反射されたレーザービームを受光して得られた光信号を出力する。ＲＦ  ＡＭＰ  ４０は、書き込み／読み出し部２から出力された光信号をＲＦ信号に変え、ＲＦ信号から得られた変調されたデータをＤＳＰ  ３０に提供する一方、ＲＦ信号から得られた制御のためのサーボ信号をサーボ５０に提供する。ＤＳＰ  ３０は、変調されたデータを復調してＥＣＣエラー訂正を経て得られたデータを出力する。一方、サーボ５０は、ＲＦ  ＡＭＰ  ４０から受けたサーボ信号と、システム制御器１０から受けたサーボ制御に必要な命令とを受けて、ピックアップについてのサーボ制御を行う。ホストＩ／Ｆ  ２０は、ＤＳＰ  ３０から受けたデータをホストに送る。
【００６７】
もし、システム制御器１０が、メモリ６０に保存した互換性情報を参照して、再生しようとする領域からのデータの再生が不可能である場合に、システム制御器１０は、ホストＩ／Ｆ  ２０を通じて再生命令を行えないことを知らせるエラー報告をホストに伝送する。
【００６８】
図９に示された記録／再生装置は、個別的な記録装置、再生装置として具現できるか、または、一つの記録及び再生装置として具現できる。
【００６９】
図１０は、本発明によって情報保存媒体に互換性情報を記録する方法の過程を示すフローチャートである。図１０を参照するに、まず、ユーザーは、ホストで提供するユーザーインターフェースを通じてディスク細部領域の記録／再生如何を選択する（段階１１）。ディスク細部領域は、例えば、前述したように、ユーザーデータ領域、リードイン／リードアウト領域、ＤＭＡ、互換性情報領域などでありうる。また、ユーザーは、ディスクを初めて使用して記録する場合に、このような互換性情報を記録できるだけでなく、既に互換性情報がディスクに記録された場合には、ディスクの使用状況によりこのような互換性情報を変更することもできる。
【００７０】
次いで、ホストは、ディスク細部領域の記録／再生如何情報をドライブシステムに伝送する（段階１２）。
【００７１】
ドライブシステムのシステム制御器１０は、ディスク細部領域の記録／再生如何情報をディスクの互換性情報領域に記録する（段階１３）。このようなディスク細部領域の記録／再生如何情報は、互換性情報を表し、システム制御器１０は、このような互換性情報を、本発明の一例によってディスク１００のリードイン領域の記録可能な領域に記録するように、書き込み／読み出し部２を制御する。
【００７２】
図１１は、本発明の第１実施例によって、情報保存媒体に記録された互換性情報を参照してデータを記録する方法の過程を示すフローチャートである。
【００７３】
ドライブシステムにディスクがローディングされる（段階２１）。
【００７４】
まず、ドライブシステムのシステム制御器１００は、ディスクのＤＭＡのＤＤＳから記録防止情報を読み取る（段階２２）。
【００７５】
そして、システム制御器１００は、記録防止情報が設定されているかどうかを判断する（段階２３）。判断の結果、記録防止情報が設定されている場合には、さらなるディスクへの記録が禁止されるため、段階２８に進んで、ホストにエラー結果を報告して動作を終了する。
【００７６】
システム制御器１００は、記録防止情報を読み取った結果、記録防止情報が設定されていない場合には、ディスク１００のリードイン領域またはリードアウト領域に設けられた互換性情報領域を読み取って互換性情報バイトをメモリ６０に保存しておく（段階２４）。
【００７７】
次いで、ドライブシステムがホストからのデータ記録命令を受信すれば、システム制御器１０は、メモリ６０に保存した互換性情報バイトを参照する（段階２５）。
【００７８】
次いで、システム制御器１０は、互換性情報バイトの内容によって、データの記録命令の実行如何を判断する（段階２６）。例えば、ユーザーデータ領域へのデータ記録命令を受信した場合に、システム制御器１０は、互換性情報バイトを探して、ユーザーデータ領域へのデータ記録が可能な状態であるかどうかを判断する。
【００７９】
判断の結果、記録命令の実行が可能な場合に、システム制御器１０は、データの記録動作を行う（段階２７）。すなわち、互換性情報バイトの内容が、ユーザーデータ領域へのデータ記録が可能な状態と設定された場合に、システム制御器１０は、そのユーザーデータ領域にデータを記録するように、書き込み／読み出し部２を制御する。
【００８０】
判断の結果、記録命令の実行が可能でない場合に、システム制御器は、ホストにエラー結果を報告する（段階２８）。すなわち、互換性情報バイトの内容が、ユーザーデータ領域の再生のみ可能な状態と設定された場合に、システム制御器１０は、ユーザーデータ領域にデータを記録できないということを示すエラー報告を、ホストに伝送する。
【００８１】
本発明の第２実施例では、ディスクへの記録防止如何を判断する時、ＤＤＳの記録防止情報と互換性情報領域の互換性情報バイト以外に、カートリッジの記録防止ホールについての情報をさらに考慮する。
【００８２】
図１２Ａは、本発明の第２実施例によって記録防止機能に利用されるカートリッジの記録防止ホール情報と、ＤＤＳの記録防止情報と、互換性情報領域の記録／再生可能情報との関係を示す参考図である。図１２Ａを参照するに、本発明によってカートリッジの記録防止ホール、ＤＤＳの記録防止情報、互換性情報領域の記録／再生可能情報をＯＲ演算してディスクの記録防止如何を決定する。
【００８３】
カートリッジの記録防止ホールは、カートリッジの外部に設けられたホールであり、この記録防止ホールが開放されていれば、全体ディスクについて記録防止が設定されたことであり、この記録防止ホールが閉鎖されていれば、全体ディスクについて記録許容が設定されたことである。すなわち、記録防止ホール情報は、前記ディスクが入ったカートリッジ上に設けられた記録防止ホールの開閉に関する情報を示す。ディスクは、ディスクを保護するためにカートリッジに収容されうるが、このようなカートリッジには、ユーザーが直接統制可能な記録防止ホールが設けられうる。このような記録防止ホールが開放されていれば、ディスク上の記録が禁止され、閉鎖されていれば、ディスク上の記録が可能であるということを示す。すなわち、ユーザーがこのディスク上の記録を禁止するためには、記録防止ホールを開放してドライブシステムに挿入させればよく、そうでなくてこのディスク上の記録を可能にするためには、記録防止ホールを閉鎖してドライブシステムに挿入させればよい。
【００８４】
ＤＤＳの記録防止情報も、前述したように全体ディスクについての記録防止如何を表す。
【００８５】
互換性情報領域の記録／再生可能情報は、ディスクの細部領域についての記録防止如何を表す。
【００８６】
本発明によれば、このような３つの情報を利用して、この３つの情報のうちいずれか一つでも記録防止と設定されていれば、このディスクへの記録は禁止される。但し、カートリッジの記録防止ホールとＤＤＳの記録防止情報とは、全体ディスクに関する記録防止如何を表し、互換性情報領域の記録／再生可能情報は、ディスクの細部領域に関する記録防止如何を表すために、カートリッジの記録防止ホールまたはＤＤＳの記録防止情報が記録防止と設定されていれば、互換性情報領域の細部領域についての記録／再生可能情報がどのように設定されているかに関係なく、記録禁止となる。しかし、カートリッジの記録防止ホールとＤＤＳの記録防止情報とが、いずれも記録許容と設定されていれば、互換性情報領域の細部領域についての記録／再生可能情報によって、記録許容如何が決定される。
【００８７】
したがって、互換性情報には所定領域が記録可能と設定されているとしても、ＤＤＳの記録防止情報が設定されているか、カートリッジに記録防止ホールが記録防止と設定された場合には、ディスクへの記録が禁止される。これは、例えば、ユーザーが間違って、記録防止情報または記録防止ホールまたは互換性情報の内容が互いに合わないように設定した場合には、記録を禁止させてディスク領域を安全に使用可能にするためである。
【００８８】
図１２Ｂは、図１２Ａに示された関係によって、ドライブ記録動作の如何を表す具体的な例を説明するための参考図である。図１２Ｂを参照するに、カートリッジの記録防止ホールが“０”と表示されたのは、ホールが閉鎖されているということを表し、これは、記録防止が設定されていない状態、すなわち、記録が許容される状態を表す。ＤＤＳの記録防止情報が“０”と設定されているということは、記録防止フラッグがセットされずにディスクに記録可能となっている状態をいい、互換性情報領域の記録／再生可能情報が“０”と設定されているということは、所定領域に記録可能となっている状態をいう。もちろん、ここで、“１”と“０”とは、装置によって変えて使用できる。
【００８９】
また図１２Ｂを参照するに、本発明による記録防止如何は、カートリッジの記録防止ホール、ＤＤＳの記録防止情報、互換性情報領域の記録／再生可能情報をＯＲ演算して決定されるので、カートリッジの記録防止ホール、ＤＤＳの記録防止情報、互換性情報領域の記録／再生可能情報がいずれも“０”と設定されている場合のみ、ドライブの記録動作が可能となり、他の場合にはいずれも記録が不可能である。言い換えれば、カートリッジの記録防止ホールとＤＤＳの記録防止情報とがいずれも“０”と設定されており、互換性情報領域の記録／再生可能情報も記録可能と設定されている場合のみ、その記録可能と設定された特定領域に記録できる。もちろん、カートリッジの記録防止ホールとＤＤＳの記録防止情報とがいずれも“０”と設定されているとしても、互換性情報領域の記録／再生可能情報が記録不可と設定される場合には、記録が禁止される。そして、カートリッジの記録防止ホールが“１”と設定されているか、または、ＤＤＳの記録防止情報が“１”と設定されている場合には、互換性情報領域の記録／再生可能情報が記録可能と設定されているとしても、記録は禁止される。
【００９０】
図１３は、本発明の第２実施例によって情報保存媒体に記録された互換性情報を参照してデータを記録する方法の過程を示すフローチャートである。
【００９１】
まず、ドライブシステムにディスクがローディングされれば、ディスクがカートリッジを含むかどうかを判断する（段階３１）。カートリッジを含んでいない場合には段階３３に進む。
【００９２】
カートリッジを含む場合には、カートリッジに設けられた記録防止ホールが開放されているかどうかを判断する（段階３２）。
【００９３】
この記録防止ホールが開放されているということは記録防止が設定されているということを表すので、記録防止ホールが開放されている場合に、システム制御器は、ホストにエラー結果を報告する（段階３９）。
【００９４】
この記録防止ホールが開放されていない場合には、記録防止が設定されていないということを表すので、次の段階３３に進んで、システム制御器１００は、ディスクのＤＭＡのＤＤＳから記録防止情報を読み取る（段階３３）。
【００９５】
そして、システム制御器１００は、記録防止情報が設定されているかどうかを判断する（段階３４）。判断の結果、記録防止情報が設定されている場合には、さらなるディスクへの記録が禁止されるため、段階３９に進んで、ホストにエラー結果を報告して動作を終了する。
【００９６】
システム制御器１００は、記録防止情報を読み取った結果、記録防止情報が設定されていない場合には、ディスク１００のリードイン領域またはリードアウト領域に設けられた互換性情報領域を読み取って互換性情報バイトをメモリ６０に保存しておく（段階３５）。
【００９７】
次いで、ドライブシステムがホストからのデータ記録命令を受信すれば、システム制御器１０は、メモリ６０に保存した互換性情報バイトを参照する（段階３６）。
【００９８】
次いで、システム制御器１０は、互換性情報バイトの内容によって、データの記録命令の実行如何を判断する（段階３７）。例えば、ユーザーデータ領域へのデータ記録命令を受信した場合に、システム制御器１０は、互換性情報バイトを探して、ユーザーデータ領域へのデータ記録が可能な状態であるかどうかを判断する。
【００９９】
判断の結果、記録命令の実行が可能な場合に、システム制御器１０は、データの記録動作を行う（段階３８）。すなわち、互換性情報バイトの内容が、ユーザーデータ領域へのデータ記録が可能な状態と設定された場合に、システム制御器１０は、そのユーザーデータ領域にデータを記録するように、書き込み／読み出し部２を制御する。
【０１００】
判断の結果、記録／再生命令の実行が可能でない場合に、システム制御器は、ホストにエラー結果を報告する（段階３９）。すなわち、互換性情報バイトの内容が、ユーザーデータ領域の再生のみ可能な状態と設定された場合に、システム制御器１０は、ユーザーデータ領域へのデータ記録不可を表すエラー報告を、ホストに伝送する。
【０１０１】
図１３で、記録命令の受信が段階３６で行われると示したが、これに限定されるものではなく、記録命令の受信はいかなる段階でも可能である。また、図１３では、ディスクカートリッジの記録防止ホールを最初にチェックし、次いで、記録防止情報をチェックし、次いで、互換性情報バイトの内容をチェックしたが、このチェック順序はこれに限定されず、いかなる順序でチェックしても構わない。これは、本発明による記録防止如何は、かかる３つの情報のＯＲにより決定されるためである。
【０１０２】
以上説明したような記録／再生方法は、また、コンピュータ可読記録媒体にコンピュータ可読コードとして具現できる。コンピュータ可読記録媒体は、コンピュータシステムによって読み取られうるデータが保存されるあらゆる記録装置を含む。コンピュータ可読記録媒体の例には、ＲＯＭ、ＲＡＭ、ＣＤ−ＲＯＭ、磁気テープ、フロッピー（登録商標）ディスク、光データ保存装置などがあり、また、キャリアウェーブ（例えば、インターネットを通じた伝送）の形で具現されるものも含む。また、コンピュータ可読記録媒体は、ネットワークに連結されたコンピュータシステムに分散されて、分散方式でコンピュータ可読コードが保存されかつ実行されうる。そして、前記記録／再生方法を具現するための機能的なプログラム、コード及びコードセグメントは、本発明が属する技術分野のプログラマーにより容易に推論されうる。
【０１０３】
これまで本発明について、その望ましい実施例を中心に説明した。当業者ならば、本発明が本発明の本質的な特性から逸脱しない範囲内で変形された形態で具現されうるということを理解できる。したがって、開示された実施例は、限定的な観点ではなく説明的な観点で考慮されねばならない。本発明の範囲は、前述した説明ではなく、特許請求の範囲に現れており、それと同等な範囲内にあるあらゆる差異点は本発明に含まれていると解釈されねばならない。
【産業上の利用可能性】
【０１０４】
本発明は、あらゆる種類の情報保存媒体及びこのような情報保存媒体にデータを記録するあらゆる種類の記録装置及びこのような情報保存媒体からデータを再生するあらゆる種類の再生装置に適用できる。
【図面の簡単な説明】
【０１０５】
【図１】従来技術によって、情報保存媒体の記録／再生の互換性情報が要求される概念を説明するための参考図である。
【図２】従来技術によるディスクの構造図である。
【図３】図２に示されたＤＤＳの細部的な構造図である。
【図４】本発明によるディスクの構造図である。
【図５】図４に示された互換性情報バイトの第１例を示す図である。
【図６】図４に示された互換性情報バイトの第２例を示す図である。
【図７Ａ】図６に示された“ＤＭＡ記録／再生可能情報”で示しうる情報の例を示す図である。
【図７Ｂ】図６に示された“ＤＭＡ記録／再生可能情報”で示しうる情報の例を示す図である。
【図７Ｃ】図６に示された“ＤＭＡ記録／再生可能情報”で示しうる情報の例を示す図である。
【図８】本発明の第１実施例によって、ＤＤＳの記録防止情報と互換性情報領域の記録／再生可能情報との優先順位を説明するための参考図である。
【図９】本発明による記録／再生装置の構成の概略的なブロック図である。
【図１０】本発明によって、情報保存媒体に互換性情報を記録する方法の過程を示すフローチャートである。
【図１１】本発明の第１実施例によって、情報保存媒体に記録された互換性情報を参照してデータを記録する方法の過程を示すフローチャートである。
【図１２Ａ】本発明の第２実施例によって、記録防止機能に利用されるカートリッジの記録防止ホール情報と、ＤＤＳの記録防止情報と、互換性情報領域の記録／再生可能情報との関係を示す参考図である。
【図１２Ｂ】図１２Ａに示された関係によって、ドライブ記録動作の如何を示す具体的な例を説明するための参考図である。
【図１３】本発明の第２実施例によって、情報保存媒体に記録された互換性情報を参照してデータを記録する方法の過程を示すフローチャートである。
【符号の説明】
【０１０６】
１００  ディスク
１１０  リードイン領域
１１１  あらかじめ記録された領域
１１２  記録可能領域
１１３  互換性情報領域
１１５  ＤＭＡ
１１６  記録防止情報
１１７  テスト領域
１１８  ドライブ／ディスク状態情報領域
１２０  ユーザーデータ領域
１３０  リードアウト領域
５００  互換性情報バイト
【図１】
2007242233.tif 000004
【図２】
2007242233.tif 000005
【図３】
2007242233.tif 000006
【図４】
2007242233.tif 000007
【図５】
2007242233.tif 000008
【図６】
2007242233.tif 000009
【図７Ａ】
2007242233.tif 000010
【図７Ｂ】
2007242233.tif 000011
【図７Ｃ】
2007242233.tif 000012
【図８】
2007242233.tif 000013
【図９】
2007242233.tif 000014
【図１０】
2007242233.tif 000015
【図１１】
2007242233.tif 000016
【図１２Ａ】
2007242233.tif 000017
【図１２Ｂ】
2007242233.tif 000018
【図１３】
2007242233.tif 000019